(57)【要約】  アノード（２８）およびカソード（２４）の各表面に対して露出している第一の容積を有する電気化学セル（１０）であって、蒸気を前記第一の容積内に供給するための蒸気入口（５）も備える電気化学セル（１０）。
2019502019.tif 000002
【特許請求の範囲】
【請求項１】
アノード（２８）およびカソード（２４）の各表面に対して露出している第一の容積を有し、蒸気を第一の容積内に入れる蒸気入口（５）も備える電気化学セル（１０）において、
前記蒸気入口からの蒸気が前記アノード（２８）に達するのを防ぐように、固体酸化物伝導材料層（４）が位置していることを特徴とする、前記電気化学セル（１０）。
【請求項２】
前記固体酸化物伝導材料層がイットリア安定化ジルコニアを含有する、請求項１記載の電気化学セル。
【請求項３】
前記固体酸化物伝導材料層がスカンジア安定化ジルコニア（ＳｃＳＺ）またはガドリニウムドープセリアを含有する、請求項１記載の電気化学セル。
【請求項４】
前記固体酸化物伝導材料層がペロブスカイト材料を含有する、請求項１記載の電気化学セル。
【請求項５】
前記カソード（２４）が、多孔質カソードおよび第二の容積（２）を有するガス電極である、請求項１から４までのいずれか１項記載の電気化学セル。
【請求項６】
前記アノード（２８）が、多孔質アノードおよび第三の容積（３）を有するガス電極である、請求項１から５までのいずれか１項記載の電気化学セル。
【請求項７】
前記蒸気入口（５）が蒸気拡散器（２２）を備える、請求項１から６までのいずれか１項記載の電気化学セル。
【請求項８】
ガス状生成物を第一および第二の供給材料から生成するための装置であって、
−アノード（２８）およびカソード（２４）の各表面に対して露出している第一の容積を有し、第一の供給材料を第一の容積内に入れる入口（５）も備える電気化学セルであって、前記入口（５）からの前記第一の供給材料が前記アノード（２８）に達するのを防ぐように、固体酸化物伝導材料層（４）が位置している、電気化学セルと、
−前記入口（５）を含む、前記第一の供給材料を前記第一の容積（１）内に導入する手段（５、２２）と、
−前記第二の供給材料（２６）を前記第一の容積（１）内に導入する手段（２、２４）と、
−前記第一の容積（１）内に設けられた電解質（２０）と
を有することを特徴とする、装置。
【請求項９】
前記アノード（２８）に正電圧＋Ｖを印加するために、かつ前記カソード（２４）に負電圧−Ｖを印加するために配置された電源（７）をさらに有する、請求項８記載の装置。
【請求項１０】
前記ガス状生成物を捕捉するための設備（６）をさらに有する、請求項８または９記載の装置。
【請求項１１】
請求項８記載の装置を使用してガス状生成物を生成する方法であって、前記カソード（２４）が、多孔質カソードおよび第二の容積（２）を有するガス電極であり、
前記方法が以下のステップを含む、すなわち、
−正電圧＋Ｖを前記アノード（２８）に印加するステップと、
−負電圧−Ｖを前記カソード（２４）に印加するステップと、
−第一の供給材料を前記第一の容積（１）内に導入するステップと、
−第二の供給材料を前記第二の容積（２）内に導入し、前記第二の供給材料を前記カソードで反応させ、第一の容積（１）中の電解質に第一のイオン成分をもたらすステップと、
−前記第一のイオン成分と前記第一の供給材料との間の反応によりガス状生成物を生じさせるステップと、
を含む、方法。
【請求項１２】
前記第一の容積内で生成された前記ガス状生成物を収集するステップ（６）をさらに含む、請求項１１記載の方法。
【請求項１３】
前記アノードで生じた副生成物を収集するステップをさらに含む、請求項１１または１２記載の方法。
【請求項１４】
−前記第一の供給材料が蒸気（Ｈ２Ｏ）であり；
−前記第一のイオン成分が窒化物イオン（Ｎ３−）であり；
−前記第二の供給材料が窒素（Ｎ２）であり；かつ
−前記ガス状生成物がアンモニア（ＮＨ３）である、
請求項１１から１３までのいずれか１項記載の方法。
【請求項１５】
実質的に添付図表に記載および／または図示されている電気化学セル。
【請求項１６】
実質的に記載されている装置。
【請求項１７】
実質的に添付図表に記載および／または図示されている、ガス状生成物を生成する方法。
【発明の詳細な説明】
【技術分野】
【０００１】
本発明は、電気化学セル、特にアンモニア（ＮＨ３）を合成するための電気化学セルに関する。また、本発明は、アンモニア（ＮＨ３）を合成するための方法に関する。
【０００２】
アンモニアの合成に関する要求への公知のアプローチには、
（１）ハーバー・ボッシュ法−鉄触媒を用いたＮ２およびＨ２の加圧および加熱；
（２）溶融塩電解質およびガス電極による電気化学的な合成［１〜３］；および
（３）固体電解質、および電極触媒を用いた電極による電気化学的な合成［４〜６］
が含まれる。
［１］Ｍｕｒａｋａｍｉ  Ｔ．、Ｔ．Ｎｉｓｈｉｋｉｏｒｉ、Ｔ．ＮｏｈｉｒａおよびＹ．Ｉｔｏ著「Ｅｌｅｃｔｒｏｌｙｔｉｃ  Ｓｙｎｔｈｅｓｉｓ  ｏｆ  Ａｍｍｏｎｉａ  ｉｎ  Ｍｏｌｔｅｎ  Ｓａｌｔｓ  Ｕｎｄｅｒ  Ａｔｍｏｓｐｈｅｒｉｃ  Ｐｒｅｓｓｕｒｅ」、Ｊ．Ａｍｅｒ．Ｃｈｅｍ．Ｓｏｃ．１２５（２）、３３４〜３３５頁（２００３）
［２］Ｍｕｒａｋａｍｉ  Ｔ．等著「Ｅｌｅｃｔｒｏｌｙｔｉｃ  Ａｍｍｏｎｉａ  Ｓｙｎｔｈｅｓｉｓ  ｆｒｏｍ  Ｗａｔｅｒ  ａｎｄ  Ｎｉｔｒｏｇｅｎ  Ｇａｓ  ｉｎ  Ｍｏｌｔｅｎ  Ｓａｌｔ  Ｕｎｄｅｒ  Ａｔｍｏｓｐｈｅｒｉｃ  Ｐｒｅｓｓｕｒｅ」、Ｅｌｅｃｔｒｏｃｈｉｍ．Ａｃｔａ５０（２７）、５４２３〜５４２６頁（２００５）
［３］米国特許第６，８８１，３０８号明細書（ＵＳ  Ｐａｔｅｎｔ６，８８１，３０８Ｂ２）
［４］Ｍａｒｎｅｌｌｏｓ，Ｇ．、Ｚｉｓｅｋａｓ，Ｓ．およびＳｔｏｕｋｉｄｅｓ，Ｍ．（２０００）、Ｓｙｎｔｈｅｓｉｓ  ｏｆ  ａｍｍｏｎｉａ  ａｔ  ａｔｍｏｓｐｈｅｒｉｃ  ｐｒｅｓｓｕｒｅ  ｗｉｔｈ  ｔｈｅ  ｕｓｅ  ｏｆ  ｓｏｌｉｄ  ｓｔａｔｅ  ｐｒｏｔｏｎ  ｃｏｎｄｕｃｔｏｒｓ、Ｊ．Ｃａｔａｌ．１９３、８０〜８８、ｄｏｉ：１０．１００６／ｊｃａｔ．２０００．２８７７
［５］Ｌａｎ，Ｒ．、Ｉｒｖｉｎｅ，Ｊ．Ｔ．Ｓ．およびＴａｏ，Ｓ．（２０１３）、Ｓｙｎｔｈｅｓｉｓ  ｏｆ  ａｍｍｏｎｉａ  ｄｉｒｅｃｔｌｙ  ｆｒｏｍ  ａｉｒ  ａｎｄ  ｗａｔｅｒ  ａｔ  ａｍｂｉｅｎｔ  ｔｅｍｐｅｒａｔｕｒｅ  ａｎｄ  ｐｒｅｓｓｕｒｅ、Ｓｃｉ．Ｒｅｐ．３、１１４５、ｄｏｉ：１０．１０３８／ｓｒｅｐ０１１４５
［６］Ｓｋｏｄｒａ，Ａ．およびＳｔｏｕｋｉｄｅｓ，Ｍ．（２００９）、Ｅｌｅｃｔｒｏｃａｔａｌｙｔｉｃ  ｓｙｎｔｈｅｓｉｓ  ｏｆ  ａｍｍｏｎｉａ  ｆｒｏｍ  ｓｔｅａｍ  ａｎｄ  ｎｉｔｒｏｇｅｎ  ａｔ  ａｔｍｏｓｐｈｅｒｉｃ  ｐｒｅｓｓｕｒｅ、Ｓｏｌｉｄ  Ｓｔａｔｅ  Ｉｏｎｉｃｓ１８０、１３３２〜１３３６。
【０００３】
本発明は、水および窒素（Ｎ２）からアンモニアを合成するための代替的な方法および装置の提供を目的とする。
【０００４】
よって、本発明により、添付の特許請求の範囲に規定されている方法および装置が提供される。
【０００５】
本発明の上記およびさらなる対象、特徴および利点は、添付の特許請求の範囲との関連で、本発明の特定の実施形態についての以下の記載からより明らかとなる。
【図面の簡単な説明】
【０００６】
【図１】本発明の実施形態により提供される例示的な電気化学セルを図示している。
【０００７】
図１に示されている本発明の実施形態は、多孔質体で区分された３つの容積１〜３を有する電気化学セル１０である。
【０００８】
第一の容積１は、共晶溶融塩のような窒化物伝導体２０、例えばＬｉＣｌ／ＫＣｌ／Ｌｉ３Ｎを含有する。使用時において、この第一の容積に蒸気入口５を通して蒸気（Ｈ２Ｏ）が導入される。入口蒸気の幅広い分布を保証するために、蒸気拡散器２２を設けることができる。
【０００９】
第二の容積２は、カソードガス電極である。窒素ガス（Ｎ２）２６は、このガス電極に、窒化物伝導体２０とは反対側の多孔質電極２４の表面で導入される。
【００１０】
第三の容積３は、アノードガス電極である。多孔質電極２８は、窒化物伝導体２０と片側で接触している。
【００１１】
ＤＣ電源７により、２つの多孔質電極２４、２８の間に電位差がもたらされ、アノードガス電極３に印加される正電圧＋Ｖが増加するほど、カソードガス電極２に印加される負電圧−Ｖも増加する。一般的に、もたらされる電位差は、０．５Ｖ〜２Ｖの範囲にあり得る。
【００１２】
使用時において、窒素ガスは、ガスカソード２において還元されて、窒化物イオンになる：
【数１】
2019502019.tif 000003
【００１３】
窒化物伝導体２０内部で、窒化物イオンは、アノードとカソードとの間の電圧勾配の影響のもと、アノードに向かって移動する。窒化物伝導体２０内部で、窒化物イオンが蒸気（水）と衝突および反応して、アンモニアが生成される：
【数２】
2019502019.tif 000004
【００１４】
よって、アンモニアは窒素ガスおよび蒸気から生成される。アンモニアは、窒化物伝導体２０を通って拡散して、窒化物伝導体の表面に発生する。設備６は、発生したアンモニアガスを捕捉し、これを回収することができる。ここで生じる酸化物イオンは電極間の電位勾配のもとアノードに向かって移動する。このアノード反応により、電子がＤＣ電源に返送され、かつガスアノード電極内へと酸素が生じる：
【数３】
2019502019.tif 000005
【００１５】
本発明の特徴によると、固体酸化物伝導材料層４、例えばイットリア安定化ジルコニア層は、多孔質アノード２８と窒化物伝導体２０との間に置かれている。固体酸化物伝導材料層は、多孔質アノード２８に結合可能であるか、または単に窒化物伝導体中に浸漬可能である。酸化物イオン（Ｏ２−）は、アノード２８とカソード２４との間の電位勾配の影響のもと、電気絶縁多孔質材料４を通ってアノード２８に拡散する。Ｏ２−イオンは、固体酸化物伝導材料層を通って拡散することができるが、水分子はこの層を通過することができない。適切な固体酸化物伝導材料の例は、イットリア安定化ジルコニア（ＹＳＺ）（しばしば８％がＹ８ＳＺを成す）、スカンジア安定化ジルコニア（ＳｃＳＺ）（通常９ｍｏｌ％のＳｃ２Ｏ３−９ＳｃＳＺ）およびガドリニウムドープセリア（ＧＤＣ）を含む。その他の選択肢は、ペロブスカイト材料、例えばＬａ１−ｘＳｒｘＧａ１−ｙＭｇｙ０３−δ（ＬＳＧＭ）を含む。
【００１６】
酸化物イオン伝導体内部で、電流は、酸化物イオンが結晶格子を通って動くことで流れる。この動きは、酸化物イオンが熱活性により動かされて、電界方向へのドリフトが重なって結晶格子サイトから結晶格子サイトへと動いた結果である。結果として、酸化物イオン伝導体のイオン伝導性は、強く温度に依存することになる。高温では、この伝導性を１Ｓ．ｃｍ−１に近い値に近づけることができ、これは、液体電解質に見られるイオン伝導性の水準に匹敵する。
【００１７】
固体酸化物伝導材料層４は、多孔質アノードを窒化物伝導体中の水分子（蒸気）から守る。このように電気絶縁多孔質材料により守られない場合、以下の不所望な還元がアノードにおいて起こり、発生したアンモニア（ＮＨ３）が水素（Ｈ２）で汚染され、また競合副反応がもたらされ、これにより効率が低下するだろう：
【数４】
2019502019.tif 000006
【００１８】
アンモニアガスは、窒化物伝導体２０を通って拡散して、設備６内で捕捉される。これを必要に応じて乾燥および浄化することができ、後に使用するために貯蔵することができる。
【００１９】
アンモニアを合成するための従来の方法および装置では水素（Ｈ２）が一般的であったが、本発明の電気化学セルの構造は、アンモニア生成物における水素源として、蒸気（Ｈ２Ｏ）を使用することができる。これにより、水素（Ｈ２）を生じさせるための個別の電気分解段階を必要とすることなく、または水素（Ｈ２）を購入および貯蔵する必要なく、アンモニア（ＮＨ３）を電気化学的に合成することができ、システム設計がはるかに単純になる。
【００２０】
本発明固有の特徴は、電極保護材として働く固体酸化物伝導材料層４であり、この層は、蒸気がアノードに達するのを防止する。固体酸化物伝導材料層は、もたらされた電位勾配の影響のもと、酸化物イオン（Ｏ２−）を通過させるべきであるが、水分子（Ｈ２Ｏ）を拡散させるべきではない。
【００２１】
蒸気および窒素ガスからアンモニアを合成する適用を特に参照して本発明を説明してきたが、他方で、本発明の電気化学セルおよび合成方法は、第一および第二のイオン成分からその他のガス状生成物を生成するために適用することができる。
【００２２】
一般的に、第一の供給材料５（上記の例では蒸気（Ｈ２Ｏ））を第一の容積１に導入する手段が設けられており、かつ第二の供給材料２６（上記の例では窒素（Ｎ２））をカソード２４に導入する手段が設けられている。電解質（上記の例では窒化物伝導体の形態）がアノード２８とカソード２４との間に設けられている。電圧＋Ｖおよび−Ｖが、それぞれアノードおよびカソードに印加される。カソードでは、第一のイオン成分（上記の例ではＮ３−）が第二の供給材料から生成される。第一のイオン成分は、アノードと出発電極（ｇｒｏｕｎｄ  ｅｌｅｃｔｒｏｄｅ）との間の電圧勾配の影響のもと、アノードに向かって電解質を横断する。電解質内部で、第一のイオン成分は、第一の供給材料と衝突し、生成物（上記の例ではアンモニア（ＮＨ３））およびイオン副生成物（上記の例では酸化物イオン（Ｏ２−））を生じさせる反応が起こる。イオン副生成物は、アノードと出発電極との間の電圧勾配の影響のもと、アノードに向かって電解質を横断し続ける。イオン副生成物は、アノードに達すると、その電荷を放出して、副生成物（上記の例では酸素（Ｏ２））が発生する。
【００２３】
生成物および好ましくは発生した副生成物も収集する手段を設けるべきである。また、アノードまたはカソードで生じる副生成物を収集する手段も設けることができる。
【００２４】
アノードは、ガス状副生成物を収集するために配置されたガス電極として記載されているものの、このような配置は、異なる反応を実施するために構成されている電気化学セルでは不必要であり得る。このような場合、固体カソードを設ければ十分なことがあり、この場合、第三の容積３を省略することができる。
【００２５】
当業者にとって明らかなように、添付の特許請求の範囲により規定されている本発明の範囲において、さらなる変更および変法が可能である。
【図１】
2019502019.tif 000007
【国際調査報告】
2019502019.tif 000008
2019502019.tif 000009